(57)【要約】【課題】出入口を通行する入退者を撮像した画像データの管理をより効率的に行うことができる画像記録システムを提供する。【解決手段】記憶手段（所属情報格納テーブル５７ａ等）は、ＲＦＩＤ付帯物（ＲＦＩＤカード１等）のＩＤ情報と出入口の通行可否情報を含む所定の情報（所属情報等）とを対応付けて記憶し、抽出手段（抽出プログラム５８ａ等）は人体検知装置３により入退者が検知され且つＲＦＩＤ受信手段（リーダライタ２）によりＩＤ情報が受信された場合に所定の情報を記憶手段から抽出し、判断手段（判断プログラム５８ｂ等）は抽出手段により抽出された通行可否情報に基づいて出入口の通行可否を判断し、撮像制御手段（撮像制御プログラム５８ｃ等）は撮像装置による撮像動作を制御し、画像記録手段（画像記録プログラム５８ｄ等）は画像データを、抽出手段により抽出された所定の情報と対応付けて記録する。【選択図】図１
2008035070.tif 000002
【特許請求の範囲】
【請求項１】
入退者により携帯されたＲＦＩＤ付帯物のＩＤ情報と、出入口の通行可否情報を含む入退者の所属情報とを対応付けて記憶する記憶手段と、
前記出入口に設けられ、人体を検知する人体検知装置と、
前記出入口に設けられ、入退者を撮像して画像データを取得する撮像装置と、  
前記出入口に設けられ、入退者が携帯する前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記所属情報を、前記記憶手段から抽出する抽出手段と、
前記抽出手段により抽出された前記所属情報に含まれる通行可否情報に基づいて、前記出入口の通行可否を判断する判断手段と、
前記判断手段による判断結果により、前記撮像装置による撮像動作を制御する撮像制御手段と、
前記撮像装置による撮像により取得された画像データを、前記抽出手段により抽出された前記所属情報と対応付けて記録する画像記録手段と、
を備え、
前記撮像制御手段は、
前記判断手段により前記出入口の通行が可であると判断された場合に、前記撮像装置に第１解像度で且つ第１時間の撮像を行わせ、前記判断手段により前記出入口の通行が不可であると判断された場合に、前記撮像装置に前記第１解像度よりも高解像度の第２解像度で且つ前記第１時間よりも長時間の第２時間の撮像を行わせることを特徴とする画像記録システム。
【請求項２】
物品に付されたＲＦＩＤ付帯物のＩＤ情報と、物品の名称、物品のカテゴリー情報、物品の陳列エリアに関する情報及び出入口の通行可否情報を含む前記物品の物品情報とを対応付けて記憶する記憶手段と、
前記出入口に設けられ、人体を検知する人体検知装置と、
前記出入口に設けられ、入退者を撮像して画像データを取得する撮像装置と、  
前記出入口に設けられ、入退者とともに通過する物品に付された前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記物品情報を、前記記憶手段から抽出する抽出手段と、
前記抽出手段により抽出された前記物品情報に含まれる通行可否情報に基づいて、前記出入口の通行可否を判断する判断手段と、
前記判断手段により前記出入口の通行が不可であると判断された場合に、前記撮像装置による撮像を行うとともに、前記判断手段により前記出入口の通行が可であると判断された場合に、前記撮像装置による撮像を行わない制御を行う撮像制御手段と、
前記撮像装置による撮像により取得された画像データを、前記抽出手段により抽出された前記物品情報と対応付けて記録する画像記録手段と、
を備えることを特徴とする画像記録システム。
【請求項３】
ＲＦＩＤ付帯物のＩＤ情報と、出入口の通行可否情報を含む所定の情報とを対応付けて記憶する記憶手段と、
前記出入口に設けられ、人体を検知する人体検知装置と、
前記出入口に設けられ、入退者を撮像して画像データを取得する撮像装置と、  
前記出入口に設けられ、入退者とともに通過する前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記所定の情報を、前記記憶手段から抽出する抽出手段と、
前記抽出手段により抽出された前記所定の情報に含まれる通行可否情報に基づいて、前記出入口の通行可否を判断する判断手段と、
前記判断手段による判断結果により、前記撮像装置による撮像動作を制御する撮像制御手段と、
前記撮像装置による撮像により取得された画像データを、前記抽出手段により抽出された前記所定の情報と対応付けて記録する画像記録手段と、
を備えることを特徴とする画像記録システム。
【請求項４】
前記撮像制御手段は、
前記判断手段により、前記出入口の通行が不可であると判断された場合に、前記撮像装置による撮像を行うとともに、前記判断手段により、前記出入口の通行が可であると判断された場合に、前記撮像装置による撮像を行わない制御を行うことを特徴とする請求項３に記載の画像記録システム。
【請求項５】
前記撮像制御手段は、
前記判断手段により前記出入口の通行が可であると判断された場合に、前記撮像装置に第１解像度で撮像を行わせ、前記判断手段により前記出入口の通行が不可であると判断された場合に、前記撮像装置に前記第１解像度よりも高解像度の第２解像度で撮像を行わせることを特徴とする請求項３に記載の画像記録システム。
【請求項６】
前記撮像制御手段は、
前記抽出手段により抽出された前記所定の情報に応じて、前記撮像装置による撮像時間を変更することを特徴とする請求項３〜５の何れか一項に記載の画像記録システム。
【請求項７】
前記ＲＦＩＤ付帯物は、入退者により携帯され、
前記所定の情報は、前記入退者の所属情報であることを特徴とする請求項３〜６の何れか一項に記載の画像記録システム。
【請求項８】
前記ＲＦＩＤ付帯物は、物品に付され、
前記所定の情報は、物品の名称、物品のカテゴリー情報、物品の陳列エリアに関する情報を含む前記物品の物品情報であることを特徴とする請求項３〜６の何れか一項に記載の画像記録システム。 
【発明の詳細な説明】
【技術分野】
【０００１】
本発明は、取得した画像データを記録する画像記録システムに関する。
【背景技術】
【０００２】
近年、非接触型の識別技術であるＲＦＩＤ（Radio Frequency Identification）システムを用いた様々なセキュリティシステムが開発されている。
例えば、特許文献１には、ＲＦＩＤと赤外線センサを組み合わせた入退場者の管理システムにおいて、通行許可ＩＤのないＲＦＩＤタグを持つ者やＲＦＩＤタグを持たない者が入退場しようとした場合には、侵入検知器が作動して、警報やゲートの閉鎖、カメラによる撮影等を行い、その入退場を自動的に阻止することにより、許可者と非許可者が混在する場合においても、施設への入退場を正確に管理することができる技術が開示されている。
また、特許文献２には、ＲＦＩＤ受信器と人感センサーとを組み合わされて設置し、人感センサーから信号を受信した際に、ＲＦＩＤ受信器により識別信号を受信しない場合及び受信した識別信号が登録識別信号と一致しない場合に異常と判定し、緊急時録画装置による録画を開始するとともに、常時録画装置が録画した映像を取り込むことにより緊急録画装置が録画を開始した時より、一定時間前から遡及して録画することを可能とするセキュリティシステムが開示されている。
【特許文献１】特開２００２−３３４３８２号公報
【特許文献２】特開２００５−３１００６６号公報
【発明の開示】
【発明が解決しようとする課題】
【０００３】
しかしながら、上記特許文献２におけるセキュリティシステムにおいては、不許可ＩＤのＲＦＩＤタグを持つ者やＲＦＩＤタグを持たない者を単に撮像して画像データを記録するだけなので、撮像後の画像データの管理が難しいという問題があった。具体的には、例えば、入退者の画像データを記録する入退場者監視システムにおいて、入退者が携帯するＲＦＩＤタグのＩＤ情報に基づく詳細な個人情報に応じて、取得した画像データとともに入退場管理を細かく行うことはできないという問題があった。また、例えば、盗難者の画像データを記録する盗難防止システムにおいて、通行者が手にした物品に付されたＲＦＩＤタグのＩＤ情報に基づくより詳細な物品情報に応じて、取得した画像データとともに盗難された物品の物品管理を細かく行うことはできないという問題があった。
【０００４】
本発明の課題は、出入口を通行する入退者を撮像した画像データの管理をより効率的に行うことができる画像記録システムを提供することである。
【課題を解決するための手段】
【０００５】
上記課題を解決するため、請求項１に記載の発明は、画像記録システムにおいて、入退者により携帯されたＲＦＩＤ付帯物のＩＤ情報と、出入口の通行可否情報を含む入退者の所属情報とを対応付けて記憶する記憶手段と、
前記出入口に設けられ、人体を検知する人体検知装置と、
前記出入口に設けられ、入退者を撮像して画像データを取得する撮像装置と、
前記出入口に設けられ、入退者が携帯する前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記所属情報を、前記記憶手段から抽出する抽出手段と、
前記抽出手段により抽出された前記所属情報に含まれる通行可否情報に基づいて、前記出入口の通行可否を判断する判断手段と、
前記判断手段による判断結果により、前記撮像装置による撮像動作を制御する撮像制御手段と、
前記撮像装置による撮像により取得された画像データを、前記抽出手段により抽出された前記所属情報と対応付けて記録する画像記録手段と、
を備え、
前記撮像制御手段は、
前記判断手段により前記出入口の通行が可であると判断された場合に、前記撮像装置に第１解像度で且つ第１時間の撮像を行わせ、前記判断手段により前記出入口の通行が不可であると判断された場合に、前記撮像装置に前記第１解像度よりも高解像度の第２解像度で且つ前記第１時間よりも長時間の第２時間の撮像を行わせることを特徴とする。
【０００６】
請求項２に記載の発明は、画像記録システムにおいて、物品に付されたＲＦＩＤ付帯物のＩＤ情報と、物品の名称、物品のカテゴリー情報、物品の陳列エリアに関する情報及び出入口の通行可否情報を含む前記物品の物品情報とを対応付けて記憶する記憶手段と、
前記出入口に設けられ、人体を検知する人体検知装置と、
前記出入口に設けられ、入退者を撮像して画像データを取得する撮像装置と、  
前記出入口に設けられ、入退者とともに通過する物品に付された前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記物品情報を、前記記憶手段から抽出する抽出手段と、
前記抽出手段により抽出された前記物品情報に含まれる通行可否情報に基づいて、前記出入口の通行可否を判断する判断手段と、
前記判断手段により前記出入口の通行が不可であると判断された場合に、前記撮像装置による撮像を行うとともに、前記判断手段により前記出入口の通行が可であると判断された場合に、前記撮像装置による撮像を行わない制御を行う撮像制御手段と、
前記撮像装置による撮像により取得された画像データを、前記抽出手段により抽出された前記物品情報と対応付けて記録する画像記録手段と、
を備えることを特徴とする。
【０００７】
請求項３に記載の発明は、画像記録システムにおいて、ＲＦＩＤ付帯物のＩＤ情報と、出入口の通行可否情報を含む所定の情報とを対応付けて記憶する記憶手段と、
前記出入口に設けられ、人体を検知する人体検知装置と、
前記出入口に設けられ、入退者を撮像して画像データを取得する撮像装置と、  
前記出入口に設けられ、入退者とともに通過する前記ＲＦＩＤ付帯物から発信されるＩＤ情報を受信するＲＦＩＤ受信手段と、
前記人体検知装置により入退者が検知され且つＲＦＩＤ受信手段により前記ＩＤ情報が受信された場合に、前記ＲＦＩＤ受信手段により受信された前記ＩＤ情報に対応付けられた前記所定の情報を、前記記憶手段から抽出する抽出手段と、
前記抽出手段により抽出された前記所定の情報に含まれる通行可否情報に基づいて、前記出入口の通行可否を判断する判断手段と、
前記判断手段による判断結果により、前記撮像装置による撮像動作を制御する撮像制御手段と、
前記撮像装置による撮像により取得された画像データを、前記抽出手段により抽出された前記所定の情報と対応付けて記録する画像記録手段と、
を備えることを特徴とする。
【０００８】
請求項４に記載の発明は、請求項３に記載の画像記録システムにおいて、前記撮像制御手段は、
前記判断手段により、前記出入口の通行が不可であると判断された場合に、前記撮像装置による撮像を行うとともに、前記判断手段により、前記出入口の通行が可であると判断された場合に、前記撮像装置による撮像を行わない制御を行うことを特徴とする。
【０００９】
請求項５に記載の発明は、請求項３に記載の画像記録システムにおいて、前記撮像制御手段は、
前記判断手段により前記出入口の通行が可であると判断された場合に、前記撮像装置に第１解像度で撮像を行わせ、前記判断手段により前記出入口の通行が不可であると判断された場合に、前記撮像装置に前記第１解像度よりも高解像度の第２解像度で撮像を行わせることを特徴とする。
【００１０】
請求項６に記載の発明は、請求項３〜５の何れか一項に記載の画像記録システムにおいて、前記撮像制御手段は、
前記抽出手段により抽出された前記所定の情報に応じて、前記撮像装置による撮像時間を変更することを特徴とする。
【００１１】
請求項７に記載の発明は、請求項３〜６の何れか一項に記載の画像記録システムにおいて、前記ＲＦＩＤ付帯物は、入退者により携帯され、
前記所定の情報は、前記入退者の所属情報であることを特徴とする。
【００１２】
請求項８に記載の発明は、請求項３〜６の何れか一項に記載の画像記録システムにおいて、前記ＲＦＩＤ付帯物は、物品に付され、
前記所定の情報は、物品の名称、物品のカテゴリー情報、物品の陳列エリアに関する情報を含む前記物品の物品情報であることを特徴とする。
【発明の効果】
【００１３】
請求項１に記載の発明によれば、記憶手段により、入退者により携帯されたＲＦＩＤ付帯物のＩＤ情報と、出入口の通行可否情報を含む入退者の所属情報とが対応付けて記憶され、出入口に設けられた人体検知装置により、人体が検知され、出入口に設けられた撮像装置により、入退者が撮像されて画像データが取得され、出入口に設けられたＲＦＩＤ受信手段により、入退者が携帯するＲＦＩＤ付帯物から発信されるＩＤ情報が受信される。そして、抽出手段により、人体検知装置により入退者が検知され且つＲＦＩＤ受信手段によりＩＤ情報が受信された場合に、ＲＦＩＤ受信手段により受信されたＩＤ情報に対応付けられた所属情報が、記憶手段から抽出され、判断手段により、抽出手段により抽出された所属情報に含まれる通行可否情報に基づいて、出入口の通行可否が判断され、撮像制御手段により、判断手段による判断結果により、撮像装置による撮像動作が制御され、画像記録手段により、撮像装置による撮像により取得された画像データが、抽出手段により抽出された所属情報と対応付けて記録される。また、撮像制御手段により、判断手段により出入口の通行が可であると判断された場合に、撮像装置により、第１解像度で且つ第１時間の撮像が行われ、判断手段により出入口の通行が不可であると判断された場合に、撮像装置により、第１解像度よりも高解像度の第２解像度で且つ第１時間よりも長時間の第２時間の撮像が行われる。
したがって、出入口を通行する入退者を撮像した画像データを入退者の所属情報別に管理する等、より詳細な管理を効率的に行うことができる画像記録システムを提供することができる。また、出入口を通行した入退者を所属情報別に管理することができ、通行監視システムの向上を図ることができる。
また、出入口の通行が不許可の場合のみに鮮明且つ長時間の画像データを得ることができ、管理を行う側の時間的、金銭的負担を軽減させて、システムの省力化を図ることができる。
【００１４】
請求項２に記載の発明によれば、記憶手段により、物品に付されたＲＦＩＤ付帯物のＩＤ情報と、出入口の通行可否情報を含む物品の名称、物品のカテゴリー情報、物品の陳列エリアに関する情報である物品情報とが対応付けて記憶され、出入口に設けられた人体検知装置により人体が検知され、出入口に設けられた撮像装置により入退者が撮像される。また、出入口に設けられたＲＦＩＤ受信手段により、入退者が携帯するＲＦＩＤ付帯物から発信されるＩＤ情報が受信され、抽出手段により、人体検知装置により入退者が検知され且つＲＦＩＤ受信手段によりＩＤ情報が受信された場合に、ＲＦＩＤ受信手段により受信されたＩＤ情報に対応付けられた物品情報が、記憶手段から抽出され、判断手段によって、抽出手段により抽出された物品情報に含まれる通行可否情報に基づいて、出入口の通行可否が判断される。そして、撮像制御手段によって、判断手段により出入口の通行が不可であると判断された場合に、撮像装置による撮像を行うとともに、判断手段により出入口の通行が可であると判断された場合に、撮像装置による撮像を行わない制御が行われ、画像記録手段により、撮像装置による撮像により取得された画像データが、抽出手段により抽出された物品情報と対応付けて記録される。
したがって、物品の名称、物品のカテゴリー情報、物品の陳列エリアに関する情報である物品情報別に、出入口を通行する入退者を撮像した画像データを管理することができる等、より詳細な管理を効率的に行うことができる画像記録システムを提供することができる。また、例えば、判断手段により出入口の通行が不可であると判断された場合には、当該物品が盗難されたと判断されることとなり、盗難物品を、物品別、物品のカテゴリー別、物品の陳列エリア別に管理することができ、盗難防止システムの向上を図ることができる。さらに、通行が不許可の物品を所持する入退者が通行した場合のみ撮像が行われることとなって、管理を行う側の時間的、金銭的負担を軽減させ、システムの省力化を図ることができる。
【００１５】
請求項３に記載の発明によれば、記憶手段により、ＲＦＩＤ付帯物のＩＤ情報と、出入口の通行可否情報を含む所定の情報とが対応付けて記憶され、出入口に設けられた人体検知装置により人体が検知され、出入口に設けられた撮像装置により入退者が撮像されて、画像データが取得される。また、出入口に設けられたＲＦＩＤ受信手段により、入退者が携帯するＲＦＩＤ付帯物から発信されるＩＤ情報が受信され、抽出手段によって、人体検知装置により入退者が検知され且つＲＦＩＤ受信手段によりＩＤ情報が受信された場合に、ＲＦＩＤ受信手段により受信されたＩＤ情報に対応付けられた所定の情報が、記憶手段から抽出され、判断手段によって、抽出手段により抽出された所定の情報に含まれる通行可否情報に基づいて、出入口の通行可否が判断される。そして、撮像制御手段により、判断手段による判断結果によって撮像装置による撮像動作が制御され、画像記録手段により、撮像装置による撮像により取得された画像データが、抽出手段により抽出された所定の情報と対応付けて記録される。したがって、入退者が携帯するＲＦＩＤ付帯物のＩＤ情報に対応付けられた所定の情報と、撮像した画像データとを、互いに対応付けて管理することができることとなって、出入口を通行する入退者を撮像した画像データの管理をより効率的に行うことができる画像記録システムを提供することができる。
【００１６】
請求項４に記載の発明によれば、請求項３に記載の発明の効果が得られるのは無論のこと、撮像制御手段により、判断手段によって出入口の通行が不可であると判断された場合に、撮像装置による撮像を行うとともに、判断手段によって出入口の通行が可であると判断された場合に、撮像装置による撮像を行わない制御が行われる。
したがって、出入口の通行が不許可の場合のみ撮像が行われることとなって、管理を行う側の時間的、金銭的負担を軽減させることができる。
【００１７】
請求項５に記載の発明によれば、請求項３に記載の発明の効果が得られるのは無論のこと、撮像制御手段により、判断手段により出入口の通行が可であると判断された場合に、撮像装置により第１解像度で撮像が行われ、判断手段により出入口の通行が不可であると判断された場合に、撮像装置により第１解像度よりも高解像度の第２解像度で撮像が行われる。
したがって出入口の通行が不許可の場合のみ高解像度での撮像が行われることとなって、管理を行う側の時間的、金銭的負担を軽減させることができる。
【００１８】
請求項６に記載の発明によれば、請求項３〜５の何れか一項に記載の発明の効果が得られるのは無論のこと、撮像制御手段により、抽出手段によって抽出された所定の情報に応じて、撮像装置による撮像時間が変更される。したがって、出入口の通行が不許可の場合のみ長時間の撮像を行う場合には、管理を行う側の時間的、金銭的負担を軽減させることができる。
【００１９】
請求項７に記載の発明によれば、請求項３〜６の何れか一項に記載の発明の効果が得られるのは無論のこと、ＲＦＩＤ付帯物は、入退者により携帯されており、所定の情報は、入退者の所属情報である。したがって、入退者の所属情報に応じて、より詳細な管理を行うことが可能となる。
【００２０】
請求項８に記載の発明によれば、請求項３〜６の何れか一項に記載の発明の効果が得られるのは無論のこと、ＲＦＩＤ付帯物は、物品に付されており、所定の情報は、物品の名称、物品のカテゴリー情報、物品の陳列エリアに関する情報である物品情報である。したがって、盗難された物品を、物品の名称、物品のカテゴリー、物品の陳列エリアに基づいてより詳細に管理することができ、盗難防止システムの向上を図ることができる。
【発明を実施するための最良の形態】
【００２１】
（実施形態１）
以下、図１〜４を参照して、本発明を適用した実施形態１について詳細に説明する。
本実施形態では、画像記録システムとして、出入口における入退者の通行を監視する通行監視システム１００について説明する。
【００２２】
まず、本発明に係る通行監視システム１００について、図１を参照しながら説明する。
本実施形態の通行監視システム１００は、図１に示すように、ＲＦＩＤ（Radio frequency Identification）付帯物としてのＲＦＩＤカード１、リーダライタ（RFID受信手段）２、人体検知装置３、撮像装置４、管理装置５等を備えて構成されている。リーダライタ２、人体検知装置３、撮像装置４は部屋や建物等の出入口に配置され、出入口ユニットＵを構成している。また、ＲＦＩＤカード１とリーダライタ２は、非接触方式で無線接続されており、リーダライタ２、人体検知装置３、撮像装置４のそれぞれは、管理装置５とケーブルＣ１〜Ｃ３により接続されている。
この通行監視システム１００では、入退者が携帯するＲＦＩＤカード１のＩＤ情報を出入口に配置された出入口ユニットＵのリーダライタ２により読み取り、管理装置５において、読み取ったＩＤ情報に対応付けられた所属情報（所定の情報）に含まれる通行可否情報に基づいて通行の可否を判断する。そして、判断結果に基づいて出入口ユニットＵの撮像装置４を制御して入退者の画像データを取得し、取得した画像データを、管理装置５において所属情報と対応付けて記録するようになっている。
このような通行監視システム１００によれば、入退者の画像データを入退者の所属別に記録することができるので、より詳細な管理を行うことが可能となり、通行監視システム１００の向上を図ることができる。また、通行が不可とされた入退者が通行した場合のみ、高解像度且つ長時間の画像データが取得されることとなって、管理を行う側の時間的、金銭的負担を軽減させ、システムの省力化を図ることができる。
ここで、所属情報とは、例えば、企業内における所属店舗や、所属部署、身長であるが、所属情報はこれに限られることなく、性別、年齢、体重、所在地、国籍、学校、学部等、人を区分することができる何らかのカテゴリー情報であれば良い。
【００２３】
（ＲＦＩＤカードの構成）
まず、ＲＦＩＤカード１の構成について説明する。
ＲＦＩＤカード１は、不揮発性のメモリ１５（例えば、ＥＥＰ−ＲＯＭ等）と制御回路１４とからなるＩＣチップと超小型アンテナ１１を内蔵した微小なタグであり、リーダライタ２により非接触方式での電子情報の読み取り及び書き込みを可能とするものである。  具体的には、ＲＦＩＤカード１は、アンテナ１１、送受信回路１２、電源回路１３、制御回路１４、メモリ１５等を備えて構成されている。
【００２４】
アンテナ１１は、コイルアンテナを備え、リーダライタ２から送信された電波信号を受信し、受信した信号を送受信回路１２に出力する。また、送受信回路１２からの入力信号をリーダライタ２に送信する。
送受信回路１２は、アンテナ１１からの入力信号を復調して制御回路１４に出力する。また、制御回路１４からの入力信号を変調増幅し、アンテナ１１に出力する。
電源回路１３は、アンテナ１１を介してリーダライタ２から受信した電波を電圧に変換し、ＲＦＩＤカード１の各部の電源供給を行う。
制御回路１４は、送受信回路１２からの入力信号に応じて、メモリ１５への情報の書き込み動作を行う。また、制御回路１４は、メモリ１５に記録された情報の読み出しを行い、読み出した情報（信号）の変調増幅を指示する信号を送受信回路１２に出力する。
メモリ１５は、当該ＲＦＩＤカード１に固有のＩＤ情報を記憶している。
【００２５】
（リーダライタの構成）
次に、リーダライタ２の構成について説明する。
リーダライタ２は、アンテナ２１、送受信回路２２、制御回路２３、Ｉ／Ｆ（Interface）２４等を備えて成り、出入口に配置され、出入口ユニットＵの一部を構成している。
【００２６】
アンテナ２１は、ＲＦＩＤカード１から発信された電波信号を受信し、受信した信号を送受信回路２２に出力する。また、送受信回路２２からの入力信号をＲＦＩＤカード１に送信する。
送受信回路２２は、アンテナ２１からの入力信号を復調して制御回路２３に出力する。また、制御回路２３からの入力信号を変調増幅し、アンテナ２１に出力する。
制御回路２３は、送受信回路２２からの入力信号を管理装置５に送信するよう指示する指示信号をＩ／Ｆ２４に出力する。また、Ｉ／Ｆ２４を介して管理装置５から入力されたＲＦＩＤカード１に送信する信号の変調増幅を指示する信号を送受信回路２２に出力する。
Ｉ／Ｆ２４は、管理装置５と情報の送受信を行うためのインターフェースであり、ＲＦＩＤカード１から受信したＩＤ情報のデータを、ケーブルＣ１を介して管理装置５に送信するとともに、管理装置５から送信される各種制御信号を受信する。
【００２７】
（人体検知装置の構成）
次に、人体検知装置３の構成について説明する。
人体検知装置３は、例えば、赤外線受光式を採用しており、レンズ等の光学素子３１、焦電素子３２、制御回路３３、Ｉ／Ｆ３４等を備えて成り、出入口に配置され、出入口ユニットＵの一部を構成している。
【００２８】
具体的には、人体検知装置３は、人体検出エリアから光学素子３１を介して入光される赤外線量を、赤外線量の変化に応じた電流を出力する焦電素子３２を用いて常時監視しており、焦電素子３２により検出される赤外線量の変動に基づいて、人体検出エリアを通過する人体を検出する。すなわち、人体検出エリアに人体が存在する場合、赤外線量は人体の背景から放射される赤外線量に対して変動するため、制御回路３３は、焦電素子３２により検出される赤外線量が一定の閾値以上変動した場合に人体を検知したとして、人体検知信号をＩ／Ｆ３４により、ケーブルＣ２を介して管理装置５に送信する。
【００２９】
（撮像装置の構成）
次に、撮像装置４の構成について説明する。
撮像装置４は、例えば、撮像素子４１、Ｉ／Ｆ４２、制御部４３、駆動部４４等を備えて成り、出入口に配置され、出入口ユニットＵの一部を構成している。
【００３０】
撮像素子４１は、例えば、ＣＣＤ（Charged Coupled Device）や、ＣＭＯＳ（Complementary Metal-oxide Semiconductor）等の半導体素子であり、出入口を撮像することにより撮像レンズ（図示省略）を介して入光された光の強弱を電気信号に変換して、図示しないＡ／Ｄコンバータにより、アナログの電気信号をデジタル画像データに変換して、Ｉ／Ｆ４２に出力する。
Ｉ／Ｆ４２は、管理装置５と情報の送受信を行うためのインターフェースであり、Ａ／Ｄコンバータから入力された撮像画像データを、ケーブルＣ３を介して管理装置５に送信するとともに、管理装置５から送信される各種制御信号を受信する。
駆動部４４は、後述する撮像制御プログラム５８ｃの実行において、管理装置５のＣＰＵ５５から送信される制御信号に従って、撮像装置４の向きを水平方向及び／又は上下方向に移動させる。
【００３１】
（管理装置の構成）
次に、管理装置５の構成について図を参照して説明する。
管理装置５は、Ｉ／Ｆ５１、入力部５２、表示部５３、画像処理部５４、ＣＰＵ (Central Processing Unit) ５５、ＲＡＭ (Random Access Memory) ５６、記憶部５７、ＲＯＭ（Read Only Memory）５８等を備えて構成されている。
【００３２】
Ｉ／Ｆ５１は、リーダライタ２、人体検知装置３及び撮像装置４と情報の送受信を行うためのインターフェースであり、リーダライタ２から入力されたＲＦＩＤカード１のＩＤ情報、人体検知装置３から入力された人体検知信号、撮像装置４から入力された画像データを受信するとともに、リーダライタ２、人体検知装置３、撮像装置４の各々に、各種制御信号をケーブルＣ１〜Ｃ３を介して送信する。
【００３３】
入力部５２は、キーボードの他、マウス、タッチペン等のポインティングデバイスを備えている。
【００３４】
表示部５３は、例えば、ＣＲＴ（Cathode Ray Tube）、ＬＣＤ（Liquid Crystal Display）等のディスプレイ（図示省略）を備えて構成され、ＣＰＵ５５から表示指示された各種データを表示する。例えば、表示部５３は、入力部５２からの指示入力に基づいて、後述する画像データ記録部５７ｂに記録された画像データを当該ディスプレイに表示させる。
【００３５】
画像処理部５４は、後述する撮像制御プログラム５８ｃの実行において、撮像装置４から送信された画像データに対して所定の画像処理を施すことにより、当該画像データに撮像された人体の中心点を検出する。ＣＰＵ５５は、当該検出結果に基づいて、人体の中心点が画像データの中心に位置するように、撮像装置４の駆動部４４を駆動させる制御信号を撮像装置４に対して出力する。
【００３６】
ＣＰＵ５５は、記憶部５７に格納されているシステムプログラムや、入力部５２から入力される各種データをＲＡＭ５６に格納し、この指示及び入力データに応じてＲＡＭ５６内に格納されたシステムプログラムに従って各種処理を実行し、その処理結果をＲＡＭ５６に一時的に格納するとともに、処理結果を表示部５３に送信する。
【００３７】
ＲＡＭ５６は、ＣＰＵ５５によって実行される各種プログラムやこれら各種プログラムによって処理されたデータ等を一時的に記憶するワークエリアを形成する。
【００３８】
記憶部５７は、例えば、ＲＦＩＤカード１のＩＤ情報と、出入口の通行可否情報を含む所属情報とを対応付けて記憶する所属情報格納テーブル５７ａと、画像データを記憶する画像データ記録部５７ｂとを備えて構成されている。ここで、記録媒体は光学的なものの他、磁気的、もしくは半導体メモリ等で構成しても良い。また、記録媒体は、記憶部５７に固定的に設けたもの（例えば、磁気テープ、ハードディスク等）でも良く、着脱自在に設けたもの（例えば、ＦＤＤ、ＭＯ、ＬＤ、ＤＶＤ、ＺＩＰ等）であっても良い。
【００３９】
図２は、記憶部５７に格納された所属情報格納テーブル５７ａを例示する図である。
図２に示すように、所属情報格納テーブル５７ａは、各ＲＦＩＤカード１に固有のＩＤ情報と、出入口の通行可否情報を含む所属情報と、を対応付けて記憶している。所属情報は、例えば、所属店舗、所属部署、身長等であり、それぞれのＲＦＩＤカード１を携帯する人物の所属店舗、所属部署、身長のデータが割り当てられて記憶されている。さらに、それぞれの所属情報は、通行可であるか或いは通行不可であるかを示す通行可否情報を含んでおり、所属店舗、所属部署、身長の組み合わせ別に、通行可又は通行不可の通行可否情報が割り当てられている。例えば、図２で例示した所属情報格納テーブル５７ａでは、ＲＦＩＤカード１のＩＤ情報に対応付けられた所属情報が「ＯＯ店・Ａ部・１６０ｃｍ」、「○○店・Ｃ部・１５５ｃｍ」、「外部・外部・−」である場合には、「可」の通行可否情報が割り当てられ、ＲＦＩＤカード１のＩＤ情報に対応付けられた所属情報が「ＯＯ店・Ｂ部・１７０ｃｍ」又は「△△店・Ａ部・１７５ｃｍ」である場合には、「不可」の通行可否情報が割り当てられている。
【００４０】
画像データ記録部５７ｂは、後述する画像記録プログラム５８ｄにおいて、撮像装置４から送信された画像データを記憶する。当該画像データ記録部５７ｂでは、画像データを、当該画像データに撮像された人物が携帯しているＲＦＩＤカード１のＩＤ情報に対応付けられた所属情報と対応付けて、記憶するようになっている。
【００４１】
ＲＯＭ５８は、抽出プログラム５８ａ、判断プログラム５８ｂ、撮像制御プログラム５８ｃ、画像記録プログラム５８ｄ等の制御プログラムを記憶している。
【００４２】
抽出プログラム５８ａは、例えば、ＣＰＵ５５に、人体検知装置３により入退者が検知され且つリーダライタ２によりＩＤ情報が受信された場合に、リーダライタ２により受信されたＩＤ情報に対応付けられた所属情報を、記憶部５７の所属情報格納テーブル５７ａから抽出する機能を実現させるためのプログラムである。
具体的には、ＣＰＵ５５は、人体検知装置３において人体が検知され、人体検知装置３からケーブルＣ２を介して送信された人体検知信号をＩ／Ｆ５１において受信し、さらに、リーダライタ２においてＲＦＩＤカード１から発信されるＩＤ情報が受信され、リーダライタ２からケーブルＣ３を介して送信されるＩＤ情報を受信すると、リーダライタ２から送信されたＲＦＩＤカード１のＩＤ情報に基づいて、所属情報格納テーブル５７ａを参照し、当該ＩＤ情報に対応する所属情報を読み出す。
ＣＰＵ５５は、かかる抽出プログラム５８ａを実行することにより、抽出手段として機能する。
【００４３】
判断プログラム５８ｂは、例えば、ＣＰＵ５５に、抽出プログラム５８ａの実行により抽出された所属情報に含まれる通行可否情報に基づいて、出入口の通行可否を判断する機能を実現させるためのプログラムである。
具体的には、ＣＰＵ５５は、前述した抽出プログラム５８ａの実行において所属情報格納テーブル５７ａから抽出した所属情報から、当該所属情報に対応付けられた通行可否情報を読み出して、読み出した通行可否情報が「可」である場合には通行可であると判断し、一方、読み出した通行可否情報が「不可」である場合には通行不可であると判断する。さらに、ＣＰＵ５５は、人体検知装置３により人体を検知し、且つ、リーダライタ２によりＩＤ情報を受信できない場合に、通行不可であると判断する。すなわち、当該判断プログラム５８ｂでは、出入口ユニットＵを通行する入退者のうち、通行が許可された所属店舗・所属部署・身長の者に配布されるＲＦＩＤカード１を携帯している入退者のみが通行可と判断され、通行が許可されない所属店舗・所属部署・身長の者に配布されるＲＦＩＤカード１を携帯している入退者、及び、ＲＦＩＤカード１を携帯していない入退者は通行不可と判断されることとなる。
ＣＰＵ５５は、かかる判断プログラム５８ｂを実行することにより、判断手段として機能する。
【００４４】
撮像制御プログラム５８ｃは、例えば、ＣＰＵ５５に、判断プログラム５８ｂの実行における判断結果に基づいて、撮像装置４による撮像動作を制御する機能を実現させるためのプログラムである。すなわち、ＣＰＵ５５は、判断プログラム５８ｂの実行により出入口の通行が不可であると判断された場合に、撮像装置４に低解像度（第１解像度）で且つ短時間（第１時間）の撮像を行わせ、判断プログラム５８ｂの実行により出入口の通行が可であると判断された場合に、撮像装置４に第１解像度よりも高解像度（第２解像度）で且つ第１時間よりも長時間（第２時間）の撮像を行わせる。また、ＣＰＵ５５は、判断プログラム５８ｂの実行により出入口の通行が不可であると判断された場合のみ、撮像装置４の駆動部４４を制御して、抽出プログラム５８ａの実行により抽出された入退者の身長に合わせて撮像装置４の向きを変更し、さらに、撮像装置４を入退者に追尾させながら撮像を行う。
具体的には、ＣＰＵ５５は、判断プログラム５８ｂの実行により出入口の通行が可であると判断すると、撮像装置４に低解像度（例えば、２００ｄｐｉ）で、短時間（例えば、静止画）の撮像を行うよう指示する制御信号を出力し、撮像装置４に低解像度で且つ短時間の撮像を行わせて画像データを取得する。
また、ＣＰＵ５５は、判断プログラム５８ｂの実行により出入口の通行が不可であると判断すると、抽出プログラム５８ａの実行において所属情報格納テーブル５７ａから抽出した所属情報のうち、入退者の身長のデータを参照して、撮像装置４の駆動部４４に、入退者の方を向くための移動方向及び移動角度を算出して、算出した移動方向に算出した移動角度分だけ撮像装置４を移動させるための制御信号を、撮像装置４の駆動部４４に対して出力し、撮像を行って画像データを取得する。さらに、撮像装置４から送信される画像データを画像処理部５４において解析し、当該画像データに撮像された人体の中心点を検出し、その検出結果に基づいて、人体の中心点が画像データの中心に位置するような撮像装置４の移動方向及び移動角度を算出して、算出した移動方向に算出した移動角度分だけ移動させるための制御信号を、撮像装置４の駆動部４４に対して出力することにより、出入口を通行する入退者を追尾する。さらに、撮像装置４に高解像度（例えば、８００ｄｐｉ）で、長時間（例えば、１０秒間の動画）の撮像を行うよう指示する制御信号を出力し、撮像装置４を人体に追尾させながら撮像を行い、高解像度且つ長時間の画像データを取得する。
すなわち、通行不許可の入退者が出入口を通行した場合のみ、高解像度で、長時間の、且つ、入退者が中心に撮像された画像データが取得され、一方、通行が許可された入退者が通行した場合には、低解像度且つ短時間の画像データが取得されることとなる。
ＣＰＵ５５は、かかる撮像制御プログラム５８ｃを実行することにより、撮像制御手段として機能する。
【００４５】
画像記録プログラム５８ｄは、例えば、ＣＰＵ５５に、撮像制御プログラム５８ｃの実行による撮像装置４の撮像により取得された画像データを、抽出プログラム５８ａの実行により抽出された所属情報と対応付けて記録する機能を実現させるためのプログラムである。
具体的には、ＣＰＵ５５は、前述した撮像制御プログラム５８ｃの実行により、撮像装置４により撮像された画像データを受信すると、当該画像データを、画像データ記録部５７ｂに格納する。ＣＰＵ５５は、画像データを、当該画像データに撮像された人物が携帯しているＲＦＩＤカード１のＩＤ情報に対応付けられた所属情報と対応付けて、記憶するようになっている。
図３は、画像データ記録部５７ｂを例示する図である。図３に示すように、画像データ記録部５７ｂにおいて、例えば、「ＩＤ情報：１０００１」のＲＦＩＤカード１を携帯する人物が撮像された画像データは、「所属店舗：○○店」「所属部署：Ａ部」「身長：１６０ｃｍ」「通行可否情報：可」のデータと互いに対応付けられて記憶されることとなる。さらに、画像データは、ＩＤ情報とともに記録され、また、撮像日時データ（図示省略）とともに記録されるように構成しても良い。
これにより、出入口の監視を行う者は、出入口を通行した入退者の画像データ及び画像データに対応付けられた所属情報を、所属店舗、所属部署、身長、通行可否情報毎に抽出して、表示部５３に表示させることができる。また、入退者の画像データを所属店舗、所属部署、身長、通行可否情報別に管理することが可能となって、例えば、通行が許可されていない入退者の画像のみを閲覧することや、特定の所属情報が付与されたＲＦＩＤカード１を携帯する者の入退室状況を容易に知ることができる等、効率的な管理及び監視を行うことができる。
ＣＰＵ５５は、かかる画像記録プログラム５８ｄを実行することにより、画像記録手段として機能する。
【００４６】
次に、図４のフローチャートを参照しながら、通行監視システム１００における通行監視処理について説明する。
まず、ステップＳ１において、出入口を入退者が通行すると、人体検知装置３により人体が検知され、人体検知信号が管理装置５に送信される。ステップＳ２において、ＣＰＵ５５は、リーダライタ２により、ＲＦＩＤカード１から発信されるＩＤ情報を受信したか否かを判断する。ＣＰＵ５５は、ステップＳ２において、ＲＦＩＤカード１から発信されるＩＤ情報を受信したと判断すると（ステップＳ２；Ｙｅｓ）、ステップＳ３に進み、一方、ＲＦＩＤカード１から発信されるＩＤ情報を受信しないと判断すると（ステップＳ２；Ｎｏ）、ステップＳ７に進む。
ステップＳ３において、ＣＰＵ５５は、記憶部５７に格納された所属情報格納テーブル５７ａを参照することにより、ステップＳ２においてリーダライタ２において受信され、管理装置５に送信されたＩＤ情報に対応付けられた所属情報を抽出する。次に、ステップＳ４において、ＣＰＵ５５は、抽出した所属情報に含まれる通行可否情報を読み出して、通行可否情報が「可」であるか否かを判断する。ＣＰＵ５５は、ステップＳ４において、通行可否情報が「可」であると判断すると（ステップＳ４；Ｙｅｓ）、ステップＳ５に進み、一方、通行可否情報が「可」でないと判断すると（ステップＳ４：Ｎｏ）、通行可否情報は「不可」であるとして、ステップＳ６に進む。
ステップＳ５において、ＣＰＵ５５は、撮像装置４に制御信号を出力することにより、撮像装置４に低解像度で且つ短時間の撮像を行わせ、ステップＳ８に進む。一方、ステップＳ６において、ＣＰＵ５５は、所属情報格納テーブル５７ａから抽出した入退者の身長のデータを参照して、撮像装置４の駆動部４４に、入退者の方を向くための移動方向及び移動角度を算出して、算出した移動方向に算出した移動角度分だけ撮像装置４を移動させるための制御信号を、撮像装置４の駆動部４４に対して出力し、撮像装置４を入退者に向ける。さらに、ステップＳ７において、ＣＰＵ５５は、画像処理部５４における画像データの解析結果に基づいて、画像データに撮像された人体の中心点が画像データの中心に位置するように撮像装置４の駆動部４４を駆動させ、出入口を通行する入退者に追尾させながら、撮像装置４に高解像度で且つ長時間の撮像を行わせる。
ステップＳ８において、ＣＰＵ５５は、撮像装置４の撮像により取得した画像データを、所属情報と対応付けて画像データ記録部５７ｂに格納し、本処理を終了する。
【００４７】
以上説明した本実施形態１に係る通行監視システム１００によれば、所属情報格納テーブル５７ａに、入退者により携帯されたＲＦＩＤカード１のＩＤ情報と、出入口の通行可否情報を含む入退者の所属情報とが対応付けて記憶され、出入口に設けられた人体検知装置３により人体が検知され、出入口に設けられた撮像装置４により入退者が撮像されて画像データが取得され、出入口に設けられたリーダライタ２により入退者が携帯するＲＦＩＤカード１から発信されるＩＤ情報が受信される。そして、ＣＰＵ５５による抽出プログラム５８ａの実行により、人体検知装置３により入退者が検知され且つリーダライタ２によりＩＤ情報が受信された場合に、リーダライタ２により受信されたＩＤ情報に対応付けられた所属情報が所属情報格納テーブル５７ａから抽出され、ＣＰＵ５５による判断プログラム５８ｂの実行により、抽出プログラム５８ａの実行により抽出された所属情報に含まれる通行可否情報に基づいて出入口の通行可否が判断され、撮像制御プログラム５８ｃの実行により、判断プログラム５８ｂの実行による判断結果により、撮像装置４による撮像動作が制御され、画像記録プログラム５８ｄの実行により、撮像装置４による撮像により取得された画像データが、抽出プログラム５８ａの実行により抽出された所属情報と対応付けて記録される。また、ＣＰＵ５５による撮像制御プログラム５８ｃの実行により、判断プログラム５８ｂの実行により出入口の通行が可であると判断された場合に、撮像装置４により、第１解像度で且つ第１時間の撮像が行われ、判断プログラム５８ｂの実行により出入口の通行が不可であると判断された場合に、撮像装置４により、第１解像度よりも高解像度の第２解像度で且つ第１時間よりも長時間の第２時間の撮像が行われる。
したがって、撮像した画像データを入退者の所属情報別に管理する等、より詳細な管理を効率的に行うことができる通行監視システム１００（画像記録システム）を提供することができる。また、出入口を通行した入退者を所属情報別に管理することができ、通行監視システム１００の向上を図ることができる。
また、出入口の通行が不可である場合のみに鮮明、長時間且つ入退者が中心に撮像された画像データを得ることができ、管理を行う側の時間的、金銭的負担を軽減させて、システムの省力化を図ることができる。
【００４８】
（実施形態２）
以下、図５〜８を参照して、本発明を適用した実施形態２について詳細に説明する。
本実施形態２では、画像記録システムとして、物品の盗難を防止する盗難防止システム２００について説明する。
なお、以下の説明において、実施形態１と同一部分には同一符号を付し、説明を省略するものとする。
【００４９】
まず、本発明に係る盗難防止システム２００について、図５を参照しながら説明する。
本実施形態の盗難防止システム２００は、図４に示すように、ＲＦＩＤ（Radio frequency Identification）付帯物としてのＲＦＩＤタグ６、リーダライタ（RFID受信手段）２、人体検知装置３、撮像装置４、管理装置７等を備えて構成されている。リーダライタ２、人体検知装置３、撮像装置４は部屋や建物等の出入口に配置され、出入口ユニットＵを構成している。また、ＲＦＩＤタグ６とリーダライタ２は、非接触方式で無線接続されており、リーダライタ２、人体検知装置３、撮像装置４のそれぞれは、管理装置７とケーブルＣ４〜Ｃ６により接続されている。
この盗難防止システム２００では、物品に付されたＲＦＩＤタグ６のＩＤ情報を出入口に配置された出入口ユニットＵのリーダライタ２により読み取り、管理装置７において、読み取ったＩＤ情報に対応付けられた製品名（物品の名称）、物品のカテゴリー情報、物品の陳列エリアに関する情報である物品情報（所定の情報）に含まれる通行可否情報に基づいて通行の可否を判断する。そして、判断結果に基づいて出入口ユニットＵの撮像装置４を制御して入退者の画像データを取得し、取得した画像データを、管理装置７において物品情報と対応付けて記録するようになっている。
このような盗難防止システム２００によれば、物品を所持する入退者の画像データを製品名別、物品のカテゴリー別、物品の陳列エリア別に記録することができるので、より詳細な管理を行うことが可能となり、盗難防止システム２００の向上を図ることができる。また、盗難物品を所持する入退者が通行した場合のみ画像データが取得されることとなって、管理を行う側の時間的、金銭的負担を軽減させることができる。
なお、物品情報は、製品名、物品のカテゴリー情報、物品の陳列エリアに関する情報に限られることなく、例えば、販売価格、入荷日時、色彩、重量、寸法等、物品に関する何らかの情報であれば良い。  
【００５０】
（ＲＦＩＤタグの構成）
まず、ＲＦＩＤタグ６の構成について説明する。
ＲＦＩＤタグ６は、不揮発性のメモリ６５（例えば、ＥＥＰ−ＲＯＭ等）と制御回路６４とからなるＩＣチップと超小型アンテナ６１を内蔵した微小なタグであり、リーダライタ２により非接触方式での電子情報の読み取り及び書き込みを可能とするものである。    具体的には、ＲＦＩＤタグ６は、アンテナ６１、送受信回路６２、電源回路６３、制御回路６４、メモリ６５等を備えて構成されている。
【００５１】
アンテナ６１は、コイルアンテナを備え、リーダライタ２から送信された電波信号を受信し、受信した信号を送受信回路６２に出力する。また、送受信回路６２からの入力信号をリーダライタ２に送信する。
送受信回路６２は、アンテナ６１からの入力信号を復調して制御回路６４に出力する。また、制御回路６４からの入力信号を変調増幅し、アンテナ６１に出力する。
電源回路６３は、アンテナ６１を介してリーダライタ２から受信した電波を電圧に変換し、ＲＦＩＤタグ６の各部の電源供給を行う。
制御回路６４は、送受信回路６２からの入力信号に応じて、メモリ６５への情報の書き込み動作を行う。また、制御回路６４は、メモリ６５に記録された情報の読み出しを行い、読み出した情報（信号）の変調増幅を指示する信号を送受信回路６２に出力する。
メモリ６５は、当該ＲＦＩＤタグ６に固有のＩＤ情報を記憶している。
【００５２】
（管理装置の構成）
次に、管理装置７の構成について説明する。
管理装置７は、Ｉ／Ｆ７１、入力部７２、表示部７３、ＣＰＵ７４、ＲＡＭ７５、記憶部７６、ＲＯＭ７７等を備えて構成されている。
【００５３】
Ｉ／Ｆ７１は、リーダライタ２、人体検知装置３及び撮像装置４と情報の送受信を行うためのインターフェースであり、リーダライタ２から入力されたＲＦＩＤタグ６のＩＤ情報、人体検知装置３から入力された人体検知信号、撮像装置４から入力された画像データを受信するとともに、リーダライタ２、人体検知装置３、撮像装置４の各々に、各種制御信号をケーブルＣ４〜Ｃ６を介して送信する。
【００５４】
ＣＰＵ７４は、記憶部７６に格納されているシステムプログラムや、入力部７２から入力される各種データをＲＡＭ７５に格納し、この指示及び入力データに応じてＲＡＭ７５内に格納されたシステムプログラムに従って各種処理を実行し、その処理結果をＲＡＭ７５に一時的に格納するとともに、処理結果を表示部７３に送信する。
【００５５】
ＲＡＭ７５は、ＣＰＵ７４によって実行される各種プログラムやこれら各種プログラムによって処理されたデータ等を一時的に記憶するワークエリアを形成する。
【００５６】
記憶部７６は、ＲＦＩＤタグ６のＩＤ情報と、出入口の通行可否情報を含む物品情報とを対応付けて記憶する物品情報格納テーブル７６ａと、画像データを記憶する画像データ記録部７６ｂとを備えて構成されている。
【００５７】
図６は、記憶部７６に格納された物品情報格納テーブル７６ａを例示する図である。
図６に示すように、物品情報格納テーブル７６ａは、各ＲＦＩＤタグ６に固有のＩＤ情報と、出入口の通行可否情報を含む物品情報と、を対応付けて記憶している。物品情報は、製品名、物品のカテゴリー情報及び物品の陳列エリアに関する情報等であり、それぞれのＲＦＩＤタグ６が付される製品名、物品のカテゴリー情報及び物品の陳列エリアに関する情報が割り当てられて記憶されている。さらに、物品情報は、通行可であるか或いは通行不可であるかを示す通行可否情報を含んでおり、製品名、カテゴリー、陳列エリアの組み合わせ別に、通行可又は通行不可の通行可否情報が割り当てられている。例えば、図２で例示した物品情報格納テーブル７６ａでは、ＲＦＩＤタグ６のＩＤ情報に対応付けられた物品情報が「製品名：△△△」「カテゴリー：クラシック」「陳列エリア：Ｆ２列」である場合には、通行「不可」の通行可否情報が割り当てられ、ＲＦＩＤタグ６のＩＤ情報に対応付けられた所属情報が「製品名：×××」「カテゴリー：Ｒ＆Ｂ」「陳列エリア：Ｃ３列」である場合には、通行「可」の通行可否情報が割り当てられている。
当該通行可否情報は、未購入の物品には「可」の通行可否情報が付与されており、購入時に、この通行可否情報のデータが、図示しないリーダライタにより「不可」と書き換えられるようになっている。
【００５８】
画像データ記録部７６ｂは、後述する画像記録プログラム７７ｄにおいて、撮像装置４から送信された画像データを記憶する。当該画像データ記録部７６ｂでは、画像データを、当該画像データに撮像された人物が所持する物品に付されたＲＦＩＤタグ６のＩＤ情報に対応付けられた物品情報と対応付けて、記憶するようになっている。
【００５９】
ＲＯＭ７７は、抽出プログラム７７ａ、判断プログラム７７ｂ、撮像制御プログラム７７ｃ、画像記録プログラム７７ｄ等の制御プログラムを記憶している。
【００６０】
抽出プログラム７７ａは、例えば、ＣＰＵ７４に、人体検知装置３により入退者が検知され且つリーダライタ２によりＩＤ情報が受信された場合に、リーダライタ２により受信されたＩＤ情報に対応付けられた物品情報を、記憶部７６の物品情報格納テーブル７６ａから抽出する機能を実現させるためのプログラムである。
具体的には、ＣＰＵ７４は、人体検知装置３において人体が検知され、人体検知装置３からケーブルＣ４を介して送信された人体検知信号をＩ／Ｆ７１において受信し、さらに、リーダライタ２においてＲＦＩＤタグ６から発信されるＩＤ情報が受信され、リーダライタ２からケーブルＣ５を介して送信されるＩＤ情報を受信すると、リーダライタ２から送信されたＲＦＩＤタグ６のＩＤ情報に基づいて、物品情報格納テーブル７６ａを参照し、当該ＩＤ情報に対応する物品情報を読み出す。
ＣＰＵ７４は、かかる抽出プログラム７７ａを実行することにより、抽出手段として機能する。
【００６１】
判断プログラム７７ｂは、例えば、ＣＰＵ７４に、抽出プログラム７７ａの実行により抽出された物品情報に含まれる通行可否情報に基づいて、出入口の通行可否を判断する機能を実現させるためのプログラムである。
具体的には、ＣＰＵ７４は、前述した抽出プログラム７７ａの実行において物品情報格納テーブル７６ａから抽出した物品情報から、当該物品情報に対応付けられた通行可否情報を読み出して、読み出した通行可否情報が「可」である場合には、通行可であると判断し、一方、読み出した通行可否情報が「不可」である場合には、通行不可であると判断する。すなわち、当該判断プログラム７７ｂによれば、既に購入済みの物品を所持する者が通行する場合のみ通行可と判断され、未購入の盗難物品を所持する者が通行する場合には通行不可と判断されることとなる。
ＣＰＵ７４は、かかる判断プログラム７７ｂを実行することにより、判断手段として機能する。
【００６２】
撮像制御プログラム７７ｃは、例えば、ＣＰＵ７４に、判断プログラム７７ｂの実行における判断結果に基づいて、撮像装置４による撮像動作を制御する機能を実現させるためのプログラムである。すなわち、ＣＰＵ７４は、判断プログラム７７ｂの実行により出入口の通行が不可であると判断された場合に、撮像装置４による撮像を行い、一方、判断プログラム７７ｂの実行により出入口の通行が可であると判断された場合には、撮像装置４による撮像を行わない制御を行う。
具体的には、ＣＰＵ７４は、判断プログラム７７ｂの実行により出入口の通行が不可であると判断すると、撮像装置４に撮像を行うよう指示する制御信号を出力し、撮像装置４に出入口ユニットＵ付近を撮像させて、入退者の画像データを取得する。また、ＣＰＵ７４は、判断プログラム７７ｂの実行により出入口の通行が可であると判断すると、撮像装置４に撮像を行わせることなく、入退者の画像データを取得しない。
ＣＰＵ７４は、かかる撮像制御プログラム７７ｃを実行することにより、撮像制御手段として機能する。
【００６３】
画像記録プログラム７７ｄは、例えば、ＣＰＵ７４に、撮像制御プログラム７７ｃの実行による撮像装置４の撮像により取得された画像データを、抽出プログラム７７ａの実行により抽出された所属情報と対応付けて記録する機能を実現させるためのプログラムである。
具体的には、ＣＰＵ７４は、前述した撮像制御プログラム７７ｃの実行により、撮像装置４により撮像された画像データを受信すると、当該画像データを、画像データ記録部７６ｂに格納する。ＣＰＵ７４は、画像データを、当該画像データに撮像された人物が携帯しているＲＦＩＤタグ６のＩＤ情報に対応付けられた物品情報と対応付けて、記憶するようになっている。
図７は、例えば、画像データ記録部７６ｂを例示する図である。図７に示すように、画像データ記録部７６ｂにおいて、例えば、「ＩＤ情報：１００００００２」のＲＦＩＤタグ６が付された物品を持ち出した人物が撮像された画像データは、「製品名：△△△」「カテゴリー：クラシック」「陳列エリア：Ｆ２列」のデータと互いに対応付けられて記憶されることとなる。さらに、画像データは、ＩＤ情報や、撮像日時データ（図示省略）とともに記録されるように構成しても良い。
これにより、盗難物品の監視を行う者は、盗難物品を出入口から持ち出した入退者の画像データを、製品名別、カテゴリー別、陳列エリア別毎に抽出して、表示部７３に表示させることができる。また、例えば、盗難物品数を陳列エリア毎に把握して盗難防止対策を講じたり、物品を盗難した者の画像データを製品名別、カテゴリー別、陳列エリア別に管理すること等が可能となって、効率的な監視及び管理を行うことができる。
ＣＰＵ７４は、かかる画像記録プログラム７７ｄを実行することにより、画像記録手段として機能する。
【００６４】
次に、図８のフローチャートを参照しながら、盗難防止システム２００における盗難者撮像処理について説明する。
まず、ステップＳ１１において、出入口を入退者が通行すると、人体検知装置３により人体が検知され、人体検知信号が管理装置７に送信される。ステップＳ１２において、ＣＰＵ７４は、リーダライタ２により、ＲＦＩＤタグ６から発信されるＩＤ情報を受信したか否かを判断する。ＣＰＵ７４は、ステップＳ１２において、ＲＦＩＤタグ６から発信されるＩＤ情報を受信したと判断すると（ステップＳ１２；Ｙｅｓ）、ステップＳ１３に進み、一方、ＲＦＩＤタグ６から発信されるＩＤ情報を受信しないと判断すると（ステップＳ１２；Ｎｏ）、本処理を終了する。
ステップＳ１３において、ＣＰＵ７４は、記憶部７６に格納された物品情報格納テーブル７６ａを参照することにより、ステップＳ１２においてリーダライタ２において受信され、管理装置７に送信されたＩＤ情報に対応付けられた物品情報を物品情報格納テーブル７６ａから抽出する。次に、ステップＳ１４において、ＣＰＵ７４は、抽出した物品情報に含まれる通行可否情報を読み出して、通行可否情報が「可」であるか否かを判断する。ＣＰＵ７４は、ステップＳ１４において、通行可否情報が「可」であると判断すると（ステップＳ１４；Ｙｅｓ）、本処理を終了する。一方、ＣＰＵ７４は、ステップＳ１４において、通行可否情報が「可」でないと判断すると（ステップＳ１４：Ｎｏ）、通行可否情報は「不可」であるとして、ステップＳ１５に進む。
ステップＳ１５において、ＣＰＵ７４は、撮像装置４に制御信号を出力することにより、撮像装置４に出入口ユニットＵ付近の撮像を行わせ、さらに、ステップＳ１６において、撮像装置４の撮像により取得した画像データを、物品情報と対応付けて画像データ記録部７６ｂに格納し、本処理を終了する。
【００６５】
以上説明した本実施形態２における盗難防止システム２００によれば、記憶部６６の物品情報格納テーブル６６ａにより、物品に付されたＲＦＩＤタグ６のＩＤ情報と、出入口の通行可否情報を含む物品の名称、物品のカテゴリー情報、物品の陳列エリアに関する情報である物品情報とが対応付けて記憶され、出入口に設けられた人体検知装置３により人体が検知され、出入口に設けられた撮像装置４により入退者が撮像される。また、出入口に設けられたリーダライタ２により、入退者が携帯するＲＦＩＤタグ６から発信されるＩＤ情報が受信され、ＣＰＵ６４による抽出プログラム６７ａの実行により、人体検知装置３により入退者が検知され且つリーダライタ２によりＩＤ情報が受信された場合に、リーダライタ２により受信されたＩＤ情報に対応付けられた物品情報が、物品情報格納テーブル６６ａから抽出され、ＣＰＵ６４による判断プログラム６７ｂの実行により、抽出プログラム６７ａの実行により抽出された物品情報に含まれる通行可否情報に基づいて、出入口の通行可否が判断される。そして、ＣＰＵ６４による撮像制御プログラム６７ｃの実行により、判断プログラム６７ｂの実行により出入口の通行が不可であると判断された場合に、撮像装置４による撮像を行うとともに、判断プログラム６７ｂの実行により出入口の通行が可であると判断された場合に、撮像装置４による撮像を行わない制御が行われ、画像記録プログラム６７ｄの実行により、撮像制御プログラム６７ｃによる撮像により取得された画像データが、抽出プログラム６７ａにより抽出された物品情報と対応付けて記録される。
したがって、物品の名称、物品のカテゴリー情報、物品の陳列エリアに関する情報である物品情報別に、撮像した画像データを管理することができる等、より詳細な管理を効率的に行うことができる盗難防止システム２００（画像記録システム）を提供することができる。また、例えば、判断プログラム６７ｂの実行により出入口の通行が不可であると判断された場合には、当該物品が盗難されたと判断されることとなり、盗難物品を、物品別、物品のカテゴリー別、物品の陳列エリア別に管理することができ、盗難防止システム２００の向上を図ることができる。さらに、通行が不許可の物品を所持する入退者が通行した場合のみ撮像が行われることとなって、管理を行う側の時間的、金銭的負担を軽減させ、システムの省力化を図ることができる。
【００６６】
なお、本発明は、上記実施の形態に限定されることなく、本発明の趣旨を逸脱しない範囲において種々の改良並びに設計の変更を行っても良い。
例えば、実施形態１における通行監視システム１００の撮像制御プログラムは、通行不可である場合のみ撮像を行い、通行可である場合には撮像を行わない制御を行うものであっても良い。また、実施形態２における盗難防止システム２００の撮像制御プログラムは、通行不可である場合には、第２解像度で第２時間の撮像を行い、通行可である場合には、第１解像度で第１時間の撮像を行う制御を行うものであっても良い。
また、実施形態１における通行監視システム１００の撮像制御プログラムは、通行の可／不可に関わらず、入退者の身長に合わせて撮像装置４を移動させて撮像を行う構成であっても良い。
また、本発明に係る画像記録システムは、通行監視システム１００や盗難防止システム２００に限らず、例えば、物品管理システム等であっても良い。
また、上記の通行監視システム１００や盗難防止システム２００では、通行が不可と判断された場合に、撮像装置４による撮像に加えて、警告音を発したり、出入口を封鎖して入退者の通行を阻むように構成しても良い。
また、ＲＦＩＤ付帯物の形状は特に限定されておらず、例えば、タグ型、カード型、円筒型等、入退者が携帯する場合又は物品に付する場合に適した形状を適宜選択することができる。
【図面の簡単な説明】
【００６７】
【図１】実施形態１における通行監視システムの要部構成を示すブロック図である。
【図２】通行監視システムにおける記憶部に格納された所属情報格納テーブルを例示する図である。
【図３】通行監視システムにおける記憶部に格納された画像データ記録部を例示する図である。
【図４】ＣＰＵによる通行監視処理を示すフローチャートである。
【図５】実施形態２における盗難防止システムの要部構成を示すブロック図である。
【図６】盗難防止システムにおける記憶部に格納された物品情報格納テーブルを例示する図である。
【図７】盗難防止システムにおける記憶部に格納された画像データ記録部を例示する図である。
【図８】ＣＰＵによる盗難者撮像処理を示すフローチャートである。
【符号の説明】
【００６８】
１００    通行監視システム（画像記録システム）
１        ＲＦＩＤカード（ＲＦＩＤ付帯物）
２        リーダライタ（ＲＦＩＤ受信手段）
３        人体検知装置
４        撮像装置
５５      ＣＰＵ（抽出手段、判断手段、撮像制御手段、画像記録手段）
５７ａ    所属情報格納テーブル（記憶手段）
５８ａ    抽出プログラム（抽出手段）
５８ｂ    判断プログラム（判断手段）
５８ｃ    撮像制御プログラム（撮像制御手段）
５８ｄ    画像記録プログラム（画像記録手段）
２００    盗難防止システム（画像記録システム）
６        ＲＦＩＤタグ（ＲＦＩＤ付帯物）
７４      ＣＰＵ（抽出手段、判断手段、撮像制御手段、画像記録手段）
７６ａ    物品情報格納テーブル（記憶手段）
７７ａ    抽出プログラム（抽出手段）
７７ｂ    判断プログラム（判断手段）
７７ｃ    撮像制御プログラム（撮像制御手段）
７７ｄ    画像記録プログラム（画像記録手段）
【図１】
2008035070.tif 000003
【図２】
2008035070.tif 000004
【図３】
2008035070.tif 000005
【図４】
2008035070.tif 000006
【図５】
2008035070.tif 000007
【図６】
2008035070.tif 000008
【図７】
2008035070.tif 000009
【図８】
2008035070.tif 000010